(57)【要約】【課題】充電式電池用の充電器において、電池装着部に大量の液体が流入した場合、従来の液体の排出の経路が直線的でなく曲がりくねっている構成では、充電器内部が完全に浸水してしまい回路ショートを発生させてしまうという課題があった。【解決手段】充電器の電池装着部２に上ケース１ａから下ケース１ｂへ直線的な液体排出孔３を設け、また液体排出孔３へ向けて液体７を誘導する液体ガイド溝４を設けることにより、大量の液体７が電池装着部２に流入しても直線的な液体排出孔３により液体７が素早く充電器下部に排出され、更にプリント基板８に液体抜き孔９を設けることにより液体７の一部が充電器内部に浸入しても素早く充電器下部に排出できる構成とする。【選択図】図２
2011200072.tif 000002
【特許請求の範囲】
【請求項１】
複数本の充電式電池を装着する電池装着部を備え、この電池装着部に装着された充電式電池に充電電流を供給する充電回路を内蔵した充電器本体からなる充電器において、前記充電器本体の電池装着部に流入した液体を排出する直線状の液体排出孔を設けたことを特徴とする充電器。
【請求項２】
前記液体排出孔の周囲に流入した液体を素早く液体排出孔に導く液体ガイド溝を設けた請求項１記載の充電器。
【請求項３】
前記充電器本体を上ケースと下ケースとで構成し、この上ケースと下ケースに連続した貫通孔を設けて液体排出孔とした請求項１記載の充電器。
【請求項４】
前記充電器本体に内蔵される充電回路を形成するプリント基板にも液体抜き孔を設けた請求項１記載の充電器。
【発明の詳細な説明】
【技術分野】
【０００１】
本発明は、充電式電池用の充電器において、充電器の電池装着部に液体が流入した場合でも、充電器内部に浸入する液体の量を大幅に少なくする構造を持つ充電器に関する。
【背景技術】
【０００２】
近年、一般的な単三形、単四形乾電池と同じ形状で充電すると再利用が可能な充電式ニッケル水素電池が増加しつつある。また、その充電式電池を充電するための充電器も多く提供されている。これらの充電器は通常、家庭のコンセントに垂直に立てた状態で接続して充電式電池の充電を行なうが、場合によっては延長ケーブルや卓上のコンセントに水平に寝かせた状態で接続して充電を行なうこともある。
【０００３】
一方、水平に寝かせた状態で使用する場合、誤って飲み物などの液体を充電器上にこぼしてしまう可能性がある。その液体がかかった場合の充電器の内部の回路ショートなどに備え、液体を充電器の外部に排出する構造を装備した充電器や充電台などが提案されているが、液体の排出の経路は直線的でなく曲がりくねっており且つ排出孔が小さいためコップ一杯程度の液体量になると充電器内部が完全に浸水してしまう構成であった。（例えば、特許文献１参照）。
【先行技術文献】
【特許文献】
【０００４】
【特許文献１】特開平１０−１７４３０１号公報
【発明の概要】
【発明が解決しようとする課題】
【０００５】
しかしながら特許文献１のように液体排出孔を装備した充電器であっても排出経路が直線的で無い構成の場合は、少量の液体であればその機能を発揮できるが、筐体内の空間以上の液体、例えばコップ一杯程度の大量の液体がかかった場合には液体の素早い排出ができないため水没と同様な状態となり、充電器内部の回路ショートを発生させてしまうという課題を有していた。
【０００６】
本発明は、起こりうるコップ一杯程度の液体がかかったとしても内部の回路ショートを防ぐために液体を直線的に排出することができる充電器を提供することを目的とする。
【課題を解決するための手段】
【０００７】
前記目的を達成するために本発明は、複数本の充電式電池を装着する電池装着部を備え、この電池装着部に装着された充電式電池に充電電流を供給する充電回路を内蔵した充電器本体からなる充電器において、前記充電器本体の電池装着部に流入した液体を排出する直線状の液体排出孔を設けることを特徴とする。
【発明の効果】
【０００８】
本発明によると、大量の液体が電池装着部に流入した場合でも、液体排出孔から直線的に液体が排出され、充電器内部に浸入する液体量が大幅に少なくなり、内部の回路ショートを防止することができる。
【図面の簡単な説明】
【０００９】
【図１】本発明の一実施の形態における充電器の外観図
【図２】同充電器の断面図
【図３】同充電器のプリント基板を示す斜視図
【発明を実施するための形態】
【００１０】
本発明の第１の発明は、複数本の充電式電池を装着する電池装着部を備え、この電池装着部に装着された充電式電池に充電電流を供給する充電回路を内蔵した充電器本体からなる充電器において、前記充電器本体の電池装着部に流入した液体を排出する直線状の液体排出孔を設けたことを特徴とする充電器であり、大量の液体が電池装着部に流入しても液体排出孔が直線的に形成されているため液体が素早く排出され、充電器内部に浸入して内部の回路をショートさせるといったことを阻止することができる。
【００１１】
本発明の第２の発明は、前記液体排出孔の周囲に流入した液体を素早く液体排出孔に導く液体ガイド溝を設けた充電器であり、液体ガイド溝により効率的に液体を液体排出孔に誘導し、素早い液体の排出を実現することができる。
【００１２】
本発明の第３の発明は、前記充電器本体を上ケースと下ケースとで構成し、この上ケースと下ケースに連続した貫通孔を設けて液体排出孔とした充電器であり、上ケースと下ケースに連続した貫通孔を液体排出孔としているので液体を素早く排出でき、充電器内部への液体の浸入を大幅に少なくすることができる。
【００１３】
本発明の第４の発明は、前記充電器本体に内蔵される充電回路を形成するプリント基板にも液体抜き孔を設けた充電器であり、液体が内部に浸入してもプリント基板の液体抜き孔から下ケースに流れ落ち、回路ショートを防止することができる。
【００１４】
以下本発明を実施するための形態について、図を参照しながら説明する。
【００１５】
（実施の形態１）
図１は、本発明の実施の形態１における複数本の充電式電池が装着可能な充電器の外観図である。
【００１６】
図１において、１は充電式電池用の充電器本体であり、２は充電式電池を装着する電池装着部である。電池装着部２に充電式電池を装着し充電器本体１に具備されているコンセントプラグを家庭用のコンセントに接続して充電式電池の充電を行なう。
【００１７】
充電器本体１のケースは上ケース１ａ及び下ケース１ｂで構成される。尚、この構成は上ケースと下ケースが共に凹形の形状でなくとも、下ケースが平板形状の蓋となっているような構成であっても特に拘らない。３は上ケース１ａから下ケース１ｂに通じる直線的な液体排出孔である。ここを通過する液体は充電器本体１の内部には全く浸入せず一直線のトンネル状となっている液体排出孔３を通って充電器下部に排出される。４は液体排出孔３に液体を導くために設けた液体ガイド溝で、電池装着部２から一段下がった構造をとる。５は充電の状態を示す充電表示ＬＥＤからなる充電表示部であり、６は電池装着部２に設けた接続端子である。
【００１８】
充電式電池を充電する際、充電器を延長ケーブルや卓上のコンセントに接続して水平に寝かせた状態で充電を行なっている場合、誤って充電器に液体がかかり電池装着部に液体が流入した場合でも、殆どの液体は本発明の直線的な液体排出孔３を通過して下ケース１ｂの下に排出されることになり、充電器本体１の内部に浸入する液体は大幅に少なくなる。またこのとき液体排出孔３に向けて液体を導くための液体ガイド溝４を電池装着部２から一段下がった位置としているため、電池が挿入されている状態においても、液体が容易に排出されることになる。
【００１９】
次に図２と図３を用いて、本実施の形態１における液体の排出経路について詳細に説明する。図２は本発明の一実施の形態における充電器の断面図であり、７は電池装着部に流入した液体であり、８は回路を搭載したプリント基板であり、９はプリント基板８に溜まる液体を下ケース１ｂに導くためにプリント基板８にも設けられた複数個の液体抜き孔であり、１０は下ケース１ｂに設けた複数個の液体排水孔である。図２において上ケース１ａの電池装着部２に誤って液体７が流入してしまった場合、液体７の大半は上ケース１ａに設けられた電池装着部２から一段下がった水抜きガイド溝４を経て、電池装着部２の左右２つの液体排出孔３を通過し、充電器内部に浸入することなく液体７は直接充電器下部へと排出される。ここで液体排出孔３は上ケース１ａと下ケース１ｂで連続して構成されている直線的な貫通孔であることが素早い液体の排出を実現するために重要となる。一方、２つの液体排出孔３に流れずに、電池装着部２の接続端子６の周辺から充電器内部に浸入する液体については、プリント基板８に設けられた複数個の液体抜き孔９により下ケース１ｂに流れ落ち、次に下ケース１ｂに設けられた複数個の液体排水孔１０により充電器下部に排出される。
【００２０】
図３はプリント基板８を示す斜視図であり、プリント基板８に設けられた複数個の液体抜き孔９は接続端子６の近傍に配置されている。このため、充電器装着部２に流入した液体７の一部が接続端子６の周辺から充電器内部に浸入しても、液体７は接続端子６の近傍に設けられた液体抜き孔９から下ケース１ｂに流れ落ち、次に下ケース１ｂに設けられた複数個の液体排水孔１０により充電器下部に素早く排出されることになる。このように、プリント基板８にも液体抜き孔９を設けることにより、液体７の一部が充電器内部に浸入したとしても素早く充電器下部に排出することが可能となり回路ショートを防止できるという効果を有する。
【００２１】
上述のように本発明では、直線的な液体排出孔３とそれに向けての液体ガイド溝４を設けることにより、大量の液体が電池装着部２に流入した場合でも、直線的な液体排出孔３により液体７を直線的に素早く充電器下部に排出することができるため充電器内部に浸入する液体の量が大幅に少なくなり、充電器内部の回路ショートを防止することが可能となる。
【００２２】
また、液体７の一部が接続端子６の周辺から充電器内部に浸入した場合においても、液体７はプリント基板８に設けられた液体抜き孔９により素早く下ケース１ｂに流れ落ち、次に下ケース１ｂの液体排水孔１０によって充電器下部に排出されるため、プリント基板８の上部に液体７が溜まったままにならず、充電器内部の回路ショートを防止することが可能となる。
【産業上の利用可能性】
【００２３】
本発明にかかる充電器は、万一大量の液体が電池装着部に流入した場合でも、電池装着部に設けた直線的な液体排出孔から充電器下部に素早く排出され、充電器内部に浸入する液体量を大幅に少なくすることにより、充電器内部の回路ショートを防止することができ、より安全且つ安心な充電器を提供することができる。
【符号の説明】
【００２４】
１    充電器本体
１ａ  上ケース
１ｂ  下ケース
２    電池装着部
３    液体排出孔
４    液体ガイド溝
５    充電表示部
６    接続端子
７    液体
８    プリント基板
９    液体抜き孔
１０  液体排水孔
【図１】
2011200072.tif 000003
【図２】
2011200072.tif 000004
【図３】
2011200072.tif 000005